(57)【要約】【課題】省エネルギーに寄与しながら被調和空間の除湿空調をより好適に行うことができる除湿空調システムを提供する。【解決手段】被調和空間（店舗２内）を除湿する除湿空調手段（除湿装置６）と、被調和空間（店舗２内）の温度を検出する温度検出手段（室内温度センサー３８）と、被調和空間（店舗２内）の相対湿度を検出する湿度検出手段（室内湿度センサー３９）と、除湿空調手段（除湿装置６）を制御する制御手段（集中管理コントローラ２０）とを備える。制御手段（集中管理コントローラ２０）は、各検出手段（室内温度センサー３８、室内湿度センサー３９）が検出した被調和空間（店舗２内）の温度及び相対湿度から当該被調和空間（店舗２内）の絶対湿度を算出し、この絶対湿度を所定の基準値に維持するように除湿空調手段（除湿装置６）を制御する。【選択図】図１
2007263425.tif 000002
【特許請求の範囲】
【請求項１】
被調和空間を除湿空調する除湿空調システムにおいて、
前記被調和空間を除湿する除湿空調手段と、前記被調和空間の温度を検出する温度検出手段と、前記被調和空間の相対湿度を検出する湿度検出手段と、前記除湿空調手段を制御する制御手段とを備え、
該制御手段は、前記各検出手段が検出した前記被調和空間の温度及び相対湿度から当該被調和空間の絶対湿度を算出し、該絶対湿度を所定の基準値に維持するよう前記除湿空調手段を制御することを特徴とする除湿空調システム。
【請求項２】
前記制御手段は、前記被調和空間の温度に応じて前記基準値を変更することを特徴とする請求項１に記載の除湿空調システム。
【請求項３】
外気温度を検出する外気温度検出手段を設け、前記制御手段は、当該外気温度検出手段で検出された外気温度に基づいて前記基準値を変更することを特徴とする請求項１に記載の除湿空調システム。
【請求項４】
前記制御手段は、前記基準値の設定手段を有し、該設定手段は、前記被調和空間の温度条件と相対湿度条件とを設定する構成とされていることを特徴とする請求項１、請求項２又は請求項３に記載の除湿空調システム。
【発明の詳細な説明】
【技術分野】
【０００１】
本発明は、被調和空間の除湿空調を行う除湿空調システムに関するものである。
【背景技術】
【０００２】
従来より、スーパーマーケットやコンビニエンスストアなどの店舗内にはオープンショーケースが複数台設置されており、これらのオープンショーケース内において冷凍食品や冷蔵食品を冷却しながら陳列販売している。また、店舗内には空気調和機（エアコン）が設置されており、この空気調和機によって店舗内の温度や湿度制御などが行われていた（特許文献１参照）。
【０００３】
そして、空気調和機によって、店舗内（被調和空間）の温度は約＋２６℃〜＋２８℃、湿度は約５０〜６０％に空調されていた。該空気調和機は、相対湿度で制御されていたため、店舗内を制御する湿度の基準値が例えば４０％であった場合、夏場でも冬場でも一年を通じて同じ基準値で制御されていた。
【特許文献１】特開２００２−３０３４３１号公報
【発明の開示】
【発明が解決しようとする課題】
【０００４】
しかしながら、空気調和機にて店舗内が一年を通じて同じ基準値で制御されていると、気温の高い温度＋２８℃、湿度４０％の夏場と、気温の低い温度＋１５℃、湿度４０％の冬場では空気中に含まれる水分量は異なり、冬場のほうが圧倒的に空気中の水分量は少ない。このため、従来冬場では実際には空気中に含まれる水分量が少ないにもかかわらず、空気調和機では除湿運転が行われていたため、無駄なエネルギーが消費されてしまうという問題があった。
【０００５】
本発明は、係る従来技術の課題を解決するために成されたものであり、省エネルギーに寄与しながら被調和空間の除湿空調をより好適に行うことができる除湿空調システムを提供することを目的とする。
【課題を解決するための手段】
【０００６】
即ち、本発明の除湿空調システムは、被調和空間を除湿空調するものであって、被調和空間を除湿する除湿空調手段と、被調和空間の温度を検出する温度検出手段と、被調和空間の相対湿度を検出する湿度検出手段と、除湿空調手段を制御する制御手段とを備え、この制御手段は、各検出手段が検出した被調和空間の温度及び相対湿度から当該被調和空間の絶対湿度を算出し、この絶対湿度を所定の基準値に維持するよう除湿空調手段を制御することを特徴とする。
【０００７】
また、請求項２の発明の除湿空調システムは、上記において、制御手段は、被調和空間の温度に応じて基準値を変更することを特徴とする。
【０００８】
また、請求項３の発明の除湿空調システムは、請求項１において、外気温度を検出する外気温度検出手段を設け、制御手段は、当該外気温度検出手段で検出された外気温度に基づいて基準値を変更することを特徴とする。
【０００９】
また、請求項４の発明の除湿空調システムは、請求項１、請求項２又は請求項３において、制御手段は、基準値の設定手段を有し、この設定手段は、被調和空間の温度条件と相対湿度条件とを設定する構成とされていることを特徴とする。
【発明の効果】
【００１０】
本発明では被調和空間を除湿空調する除湿空調システムにおいて、被調和空間を除湿する除湿空調手段と、被調和空間の温度を検出する温度検出手段と、被調和空間の相対湿度を検出する湿度検出手段と、除湿空調手段を制御する制御手段とを備え、この制御手段は、各検出手段が検出した被調和空間の温度及び相対湿度から当該被調和空間の絶対湿度を算出し、この絶対湿度を所定の基準値に維持するよう除湿空調手段を制御するようにしたので、除湿量を常に一定として無用な除湿運転を排除し、除湿空調手段の運転率を低下させて省エネルギーに寄与することが可能となる。
【００１１】
請求項２の発明では上記に加えて、制御手段は、被調和空間の温度に応じて基準値を変更するので、例えば被調和空間の温度が低い程、基準値を低下させる方向に変更することにより、季節にかかわらず常に快適な除湿空調を自動的に実現できるようになる。また、被調和空間に冷却装置が設置されている場合には、被調和空間の温度が低い状況において、冷却器への着霜量を削減できる効果もある。
【００１２】
請求項３の発明では請求項１に加えて、制御手段は、外気温度センサーで検出される温度に応じて基準値を変更するので、例えば、外気温度が急に変化した場合にも、店舗内の温度が変化する以前に基準値を変更することができる。これにより、来店した顧客に不快感を与えてしまうなどの不都合を未然に防止することができる。従って、外気温度が急激に変化した場合にも常に快適な除湿空調を自動的に実現できるようになるものである。
【００１３】
請求項４の発明では上記各発明に加えて、制御手段は、基準値の設定手段を有し、この設定手段は、被調和空間の温度条件と相対湿度条件とを設定する構成とされているので、本来水分重量と乾き空気重量等で求められる絶対湿度をそのまま基準値として設定する場合に比して、使用者に直感的に分かり易くなり、操作性が向上する。
【発明を実施するための最良の形態】
【００１４】
本発明は、スーパーマーケットなどの店舗内環境を、年間を通じて好適な湿度に維持することができ、且つ、省エネルギーが可能な除湿空調システムを提供することを最も主要な特徴とする。年間を通じて好適な湿度に維持するという目的を、被調和空間の温度及び相対湿度を基に被調和空間の除湿を行うことにより実現した。
【００１５】
以下、本発明の実施の形態を図面に基づいて説明する。図１は本発明の一実施例を示す除湿空調システム１の構成図、図２は本発明の除湿空調システム１を構成する除湿装置６の内部構成図をそれぞれ示している。
【実施例１】
【００１６】
本実施形態における除湿空調システム１は、被調和空間（店舗２内）の除湿空調を行うもので、図１に示すように、店舗２内に複数台のオープンショーケース３が設置されたスーパーマーケットの店舗２外に設置される除湿装置６（本発明の除湿空調手段に相当）と、供給空気ダクト１０と、戻り空気ダクト１１などから構築される。各オープンショーケース３（以降ショーケースと称す）は、スーパーマーケットの図示しない機械室或いは屋外に設置された冷凍機８と図示しない配管にて接続されており、この冷凍機８から冷媒の供給をうけて冷却能力を発揮する。尚、図１では複数のショーケース３を４台図示しているがオープンショーケース３は３台、或いは、４台以上であっても差し支えない。
【００１７】
該除湿空調システム１は、制御上のマスター機となる集中管理コントローラ２０（本発明の制御手段に相当）と、この集中管理コントローラ２０に対して、信号線２１、２２により接続された制御上の子機となる複数の端末コントローラ２４・・とから構成されている。端末コントローラ２４は、店舗２に設置された複数のショーケース３や、プレハブ冷蔵庫（図示せず）、それらに冷媒を供給するための冷却装置８などに設けられている。集中管理コントローラ２０及び端末コントローラ２４は、例えば汎用マイクロコンピューターにて構成されると共に種々のデータを記憶可能な記憶部（メモリ）やタイマなどを備えている。尚、２５は、端末コントローラであり集中管理コントローラ２０に接続されている。
【００１８】
集中管理コントローラ２０と、各ショーケース３（端末コントローラ２４）にはそれぞれＩＤが割り当てられており、集中管理コントローラ２０は、このＩＤを用いてデータ（後述する基準値や、ショーケース３の庫内４の温度設定値、除湿制御のデータなど）の送受信を行う。該集中管理コントローラ２０は、それぞれの端末コントローラ２４から運転状況のデータ（除湿装置６からは店舗２内湿度、ショーケース３からは庫内４の温度や除湿の状況、全てから警報データ）を収集し、各端末コントローラ２４に接続された機器を集中管理し制御する。
【００１９】
供給空気ダクト１０は、除湿装置６の内気吐出部１４（図２に図示）と、店舗２内とを連通して配管接続されている。この供給空気ダクト１０は、図示しないが途中で分岐して、ショーケース３近傍に設けられた吹出口にて、店舗２内に連通すると共に、店舗２の天井に設けられた天井吹出口にて店舗２内に連通して配管接続されている。
【００２０】
また、戻り空気ダクト１１は、前記除湿装置６に設けられた内気吸込部１３（図２に図示）と、店舗２の天井部とを連通するように配管接続されており、天井部に形成された複数の天井吸込口（図示せず）にて店舗２内に開口している。
【００２１】
ここで、図２を参照して除湿装置６を詳しく説明する。除湿装置６は、デシカント空調機と称されるものであり、水分吸着素子３１を備える回転型除湿装置３２と、内気を吸引する送風ファン３３と、外気を吸引する再生ファン３４と、再生ヒーター（電気ヒーター）３６などから構成されている。送風ファン３３は運転されて前記内気吸込部１３から戻り空気ダクト１１内の空気を吸引し、水分吸着素子３１の後述する水分吸着領域を通過させた後、前記内気吐出部１４より供給空気ダクト１０に吐出する。
【００２２】
３７は外気取込装置であり、送風ファン３３の吸込側に連通している。この外気取込装置３７は常には閉じているが、開放することにより、送風ファン３３によって外気を取り込むことができるように構成されている。また、３８、３９は内気吸込部１３に設けられた室内温度センサー（本発明の温度検出手段に相当）、室内湿度センサー（本発明の湿度検出手段に相当）であり、それぞれ戻り空気ダクト１１から吸引される店舗２内の、空気の温度と湿度を検出するものである。該外気取込装置３７は、顧客が多くなる時間帯に開放して換気を行い、外気温が高い場合や逆に低い場合には閉じる制御を実行する。また、温度上昇した外気による加熱と水の凝縮熱によって水分吸着素子３１が温度上昇し、それによって水分吸着領域を通過した空気の温度は約＋４０℃程に昇温される。
【００２３】
前記再生ファン３４は、運転されて再生空気取入部４１から外気を吸引し、再生ヒーター３６、水分吸着素子３１の後述する水分放出領域とに順次通過させた後、再生空気排気部４２から外部に排出する。４３、４４は外気温度センサー（本発明の外気温度検出手段に相当）、外気湿度センサーであり、それぞれ外気の温度と湿度を検出するものである。
【００２４】
４６は、集中管理コントローラ２０内に設けられている除湿装置６の制御装置で、この制御装置４６は、前記室内温度センサー３８、室内湿度センサー３９、外気温度センサー４３、外気湿度センサー４４などの出力に基づいて送風ファン３３、再生ファン３４、再生ヒーター３６、後述する電動機などの制御を行うものである。
【００２５】
また、集中管理コントローラ２０には図示しない電源スイッチ、温度入力スイッチ及び湿度入力スイッチや基準値１及び基準値２などの操作スイッチ２６（本発明の設定手段に相当）が設けられると共に、店舗２内の温度を検出する室内温度センサー３８、店舗２内の湿度を検出する室内湿度センサー３９及び除湿装置６などが接続されている。尚、設定手段については、後で詳しく説明する。
【００２６】
そして、集中管理コントローラ２０は、室内温度センサー３８、及び、室内湿度センサー３９が検出した店舗２内の温度と湿度に基づいて所定の設定湿度となるように除湿装置６の除湿運転を制御する。尚、店舗２内は、集中管理コントローラ２０に接続された冷暖房装置（図示せず）により冷暖房が行われる。
【００２７】
一方、前記水分吸着素子３１は周囲に空気通路が設けられた所定厚さの円板形状を呈しており、電動機（図示せず）によって例えば１分間に約半回転するように駆動される。この水分吸着素子３１は、その中を空気が通過すると空気中に含まれている水分を吸着できるように構成されている。そして、再生ヒーター３６にて加熱された空気が水分吸着素子３１を通り抜けることにより、水分吸着素子３１に吸着した水分を、加熱された空気に吸収させる受け渡し機能を備えている。
【００２８】
電動機により回転される水分吸着素子３１は、図示しないが周囲に設けられた空気通路は、領域仕切板にて仕切られて第１の空気通路と第２の空気通路とが構成されている。そして、第１の空気通路内に位置する水分吸着素子３１の部分を前記水分吸着領域、第２の空気通路に位置する水分吸着素子３１の部分を前記水分放出領域とされる。
【００２９】
係る水分吸着素子３１の一部分に着目すると、電動機により回転されることにより、上記一部分は水分吸着領域から水分放出領域に移行し、再び水分吸着領域に戻るサイクルが繰り返されるものである。尚、再生ファン３４で再生空気取入部４１から吸引された外気（再生空気）は再生ヒーター３６にて加熱された後、第２の空気通路から水分吸着素子３１の水分放出領域を通り抜けた後、再生空気排気部４２から外部に排出されるように構成されている。
【００３０】
このように構成された除湿装置６が運転されると、除湿空調システム１は、送風ファン３３、再生ファン３４、及び、水分吸着素子３１を駆動し、更に、再生ヒーター３６を発熱させる。送風ファン３３の運転によって店舗２の天井部の空気は天井部に設けられた吸込口（図示せず）から戻り空気ダクト１１内に入り、内気吸込部１３から除湿装置６内に吸引される。吸引された空気は送風ファン３３、第１の空気通路、水分吸着素子３１の水分吸着領域を経て内気吐出部１４から供給空気ダクト１０内に吐出される。
【００３１】
このとき、空気中に含まれた水分は水分吸着領域となっている部分の水分吸着素子３１に吸着され、電動機による回転によって水分放出領域に搬送されることになる。また、供給空気ダクト１０内に吐出された除湿後の乾燥空気は、分岐した供給空気ダクト１０を介して吹出口からショーケース３近傍の店舗２の床部に吹き出される（帰還）。また、一部の空気は、図示しない室内熱交換器と熱交換した後、吹出口から店舗２の天井部に吹き出され（帰還）、空調が行われる。
【００３２】
そして、除湿装置６は再生ファン３４の運転によって再生空気取入部４１から外気（再生空気）が吸引される。吸引された空気は、再生ヒーター３６にて約＋１４０℃に加熱された後、更に、水分吸着素子３１の水分放出領域を通り抜け、再生ファン３４を経て再生空気排気部４２から外部に排出される。このとき、外気は水分吸着領域で水分吸着素子３１に吸着された水分を、水分吸着素子３１の水分放出領域にて受け取った後、外部に排出される。このような水分吸着と放出作用は水分吸着素子３１の回転によって連続的に達成される。
【００３３】
即ち、水分吸着領域で水分吸着素子３１に吸着された水分は、水分吸着素子３１の回転によって水分放出領域に搬送され、そこで、再生ヒーター３６により加熱された外気に吸収され、最終的に外部に排出される。これによって、供給空気ダクト１０を経て前述の如く店舗２内に吹き出される空気は除湿されるので、店舗２内は除湿され、湿度は低下若しくは湿度上昇が抑制されることになる。
【００３４】
この場合、除湿空調システム１は各センサー３８、３９、４３、４４の出力に基づき、各ファン３３、３４や再生ヒーター３６、水分吸着素子３１の電動機を制御し、店舗２内を設定湿度に維持する。即ち、除湿空調システム１は室内湿度センサー３９の出力に基づき、店舗２内の湿度が設定より高い場合には再生ヒーター３６と再生ファン３４に通電し、低くなったら通電を停止することにより、店舗２内を設定の湿度に制御する。
【００３５】
このような除湿空調システム１に設けられた室内湿度センサー３９は、  相対湿度しか測れない。そこで、除湿空調システム１では、室内温度センサー３８が検出した店舗２内の温度と、室内湿度センサー３９が検出した店舗２内の相対湿度から、近似曲線（図３）を用いて店舗２内の絶対湿度を算出し、この絶対湿度を基準値に維持するように除湿装置６を運転するようにしている。また、集中管理コントローラ２０は、この絶対湿度を基準にして冷却器５の除霜運転を行うように構成している。尚、図３では相対湿度が１００％の時の温度と絶対湿度との関係を示している。
【００３６】
即ち、温度と相対湿度から絶対湿度を算出する計算式は、近似曲線からＨA＝ＨR／１００｛０．０００４３６５ｘＴ3＋０．００１９６７ｘＴ2＋０．３３３７３ｘＴ＋３．６９８３｝（絶対湿度  ＨA［ｇ／ｋｇ］、温度Ｔ［℃］、相対湿度ＨR［％］）で求めることができる。この計算式は、集中管理コントローラ２０（マイコン）のメモリに記憶され実行される。尚、温度と相対湿度と絶対湿度との関係を示す表については、従来より周知の表であるため詳細な説明を省略する。また、温度と相対湿度と絶対湿度との関係を示す表のデータを、集中管理コントローラ２０（マイコン）のメモリに記憶しておき、室内温度センサー３８が検出した店舗２内の温度と、室内湿度センサー３９が検出した店舗２内の相対湿度を基に、メモリに記憶した表のデータから絶対湿度を把握するようにしても差し支えない。
【００３７】
そして、除湿空調システム１は、上記計算式に基づいて集中管理コントローラ２０が算出した絶対湿度から除湿を行う。具体的には、温度＋２８℃・相対湿度４０％に相当する絶対湿度を基準値として設定した場合、例えばその上の温度＋２８℃・相対湿度４５％に相当する絶対湿度を基準上限値、その下の＋２８℃・相対湿度３５％に相当する絶対湿度を基準下限値として決定する。即ち、基準値＋２８℃・４０％に対して基準上限値、基準下限値を＋２８℃・４０±５％に設定している。この基準値は、特に湿度が高い夏場を基準に設定されていた。
【００３８】
しかしながら、＋２８℃・４０％のときの絶対湿度を基準値として固定してしまうと、気温が低い冬場に例えば＋１５℃などの温度になった場合、このときの上記基準値（絶対湿度）に相当する相対湿度は相当高くなってしまう。そのため、年間を通じて同じ基準値を用いた場合、冬場は相対湿度が極めて高くなるまで除湿運転が行われなくなり、来店した顧客に不快感を与えてしまう。
【００３９】
そこで、本発明では２つの基準値（基準値１と基準値２）を設け、それらの基準値を夏場と冬場で変えることにより、年間を通じて顧客に快適な環境を提供できるようにしている。即ち、前記設定手段としての操作スイッチ２６（温度入力スイッチと湿度入力スイッチ）で、店舗２内の温度条件と相対湿度条件（高めの基準値（基準値１）及び低めの基準値（基準値２））を設定し、高めの基準値を夏場に、低めの基準値を冬場に設定できるようにしている。
【００４０】
具体的には、高めの基準値を入力するときは、温度入力スイッチにて＋２８℃が入力され、湿度入力スイッチにて４０％が入力されて基準値１に設定される。また、低めの基準値を入力するときは、温度入力スイッチにて＋１５℃が入力され、湿度入力スイッチにて４０％が入力されて基準値２に設定される。入力された基準値１及び基準値２は、集中管理コントローラ２０のメモリに記憶されて実行される。
【００４１】
そして、集中管理コントローラ２０は、室内温度センサー３８、室内湿度センサー３９が検出した店舗２内の温度及び相対湿度から、店舗２内の絶対湿度を算出し、基準値１の基準上限値、基準下限値を＋２８℃・４０±５％、基準値２の基準下限値、基準下限値を＋１５℃・４０±５％にて制御する。尚、基準値１及び基準値２の設定温度及び設定湿度は、それらの設定温度及び設定湿度に限られず、他の設定温度及び設定湿度であっても差し支えない。
【００４２】
また、除湿空調システム１の取扱い説明書には、高めの基準値を入力したいときは、基準値１に温度入力スイッチで＋２８℃、湿度入力スイッチで４０％を入力するように記載しておき、低めの基準値を入力したいときは、基準値２に温度入力スイッチで＋１５℃、湿度入力スイッチで４０％を入力するように記載しておく。これにより、初めて除湿空調システム１を使用するオペレータなどであっても、極めて容易に除湿空調システム１を操作することができ便利である。
【００４３】
次に、上述のような２つの基準値を設けた除湿空調システム１の動作を図５のフローチャートを参照して詳しく説明する。尚、フローチャートの説明では、基準値１（基準上限値の設定温度）、基準値２（基準下限値の設定温度）の温度をそれぞれ基準温度と言う。ステップＳ１で、集中管理コントローラ２０は基準値が変更されている場合、ステップＳ２に進んで変更された基準値（基準値１ｏｒ基準値２）の温度と湿度から基準湿度（絶対湿度）を計算する。尚、ステップＳ１で基準値が変更されている場合とは、オペレータにより基準値１、基準値２の何れかが選択され、変更された場合（この場合、基準値２が選択される）。
【００４４】
ステップＳ３で、集中管理コントローラ２０は選択された基準値から基準湿度を計算し、判定した時刻が予め決められた時刻の場合ステップＳ４に進み、室内温度センサー３８が検出した店舗２内の室温（店舗２内温度）が、選択された基準値（基準値２）の基準温度より高くなっている場合ステップＳ５に進む。集中管理コントローラ２０は、店舗２内の温度が基準温度より高くなっているので、除湿装置６の除湿運転制御を基準値１に設定してステップＳ６に進み、そこで店舗２の開店時刻に到達している場合、ステップＳ７に進み、除湿装置６の除湿運転を開始する。
【００４５】
ステップＳ８で除湿装置６の除湿運転中、集中管理コントローラ２０は室内温度センサー３８が検出している店舗２内の現在温度に変化があった場合、或いは、オペレータにより基準値が変更された場合、ステップＳ９に進む。そこで、集中管理コントローラ２０は変化のあった店舗２内の温度、或いは、変更された基準値から再度絶対湿度を計算して算出し、そのデータを除湿装置６に送信して終了する。
【００４６】
一方、前記ステップＳ８で、集中管理コントローラ２０は室内温度センサー３８が検出している店舗２内の現在温度に変化がなく、オペレータにより基準値が変更されていない場合終了する。また、ステップＳ６で、集中管理コントローラ２０は店舗２の開店時刻に到達していない場合、ステップＳ１１に進み、除湿装置６の除湿運転を停止した後終了する。
【００４７】
また、ステップＳ４で、集中管理コントローラ２０は、室内温度センサー３８が検出した店舗２内の温度が基準温度より高くなっていない場合、ステップＳ１０に進み、除湿装置６の除湿運転制御を基準値２に設定してステップＳ６に進み、以降のステップを実行する。更に、ステップＳ３で、集中管理コントローラ２０は選択された基準値から基準湿度を計算し、判定した時刻が予め決められた時刻に到達していない場合はステップＳ６に進み、以降のステップを実行する。更にまた、ステップＳ１で、集中管理コントローラ２０は基準値が変更されていなければ、ステップＳ３に進んで以降のステップを実行する。
【００４８】
即ち、ステップＳ１〜Ｓ２では、変更された基準値から基準となる絶対湿度を算出し、ステップＳ３〜Ｓ５では、毎日定時刻に店舗２内の現在温度と基準値の温度とを比較して、基準となる絶対湿度（基準値１或いは基準値２）を選択する。また、ステップＳ６〜Ｓ９では、店舗２の開店時に基準の絶対湿度が変更されている場合、又は、店舗２内の現在温度が変化している場合、その温度から除湿装置６に設定すべき絶対湿度を算出し、基準値の設定を行う。これにより、絶対湿度が変更された場合や、店舗２内の温度が変化した場合などでも、店舗２内を快適な空間に維持することができる。
【００４９】
このように除湿空調システム１は、店舗２内を除湿する除湿装置６と、店舗２内の温度を検出する室内温度センサー３８と、店舗２内の相対湿度を検出する室内湿度センサー３９と、除湿装置６を制御する集中管理コントローラ２０とを備えている。そして、集中管理コントローラ２０は、室内温度センサー３８及び室内湿度センサー３９が検出した店舗２内の温度及び相対湿度から、店舗２内の絶対湿度を算出し、この絶対湿度を所定の基準値に維持するよう除湿装置６を制御するようにしたので、除湿量を常に一定に制御することが可能となる。これにより、除湿空調システム１の無用な除湿運転を排除し、除湿装置６の運転率を大幅に低下させることが可能となる。
【００５０】
また、集中管理コントローラ２０は、店舗２内の温度に応じて絶対湿度の基準値を変更することができるので、例えば店舗２内の温度が低い程、絶対湿度の基準値を低下させる方向に変更することにより、季節にかかわらず年間を通して常に快適な除湿空調を自動的に実現することができるようになる。また、店舗２内に冷却装置が設置されている場合には、店舗２内の温度が低い状況において、冷却器への着霜量を削減できる効果もある。
【００５１】
更に、集中管理コントローラ２０には、絶対湿度の基準値の設定手段を有しており、この設定手段は、店舗２内の温度条件と相対湿度条件とを設定する構成とされている。これにより、本来水分重量と乾き空気重量等で求められる絶対湿度をそのまま絶対湿度の基準値として設定する場合に比して、使用者に直感的に分かり易くなり、操作性を向上させることができる。
【実施例２】
【００５２】
次に、本発明の除湿空調システム１の動作を説明する。尚、本発明の他の実施例の除湿空調システム１は、前述の実施例と略同じ構成を有し、集中管理コントローラ２０の除湿制御のみ異なる。以下、異なる部分について説明する。集中管理コントローラ２０は、前記外気温度センサー４３にて検出された外気の温度に基づいて基準値を変更するプログラムを有している。
【００５３】
そして、初夏などに外気温度が所定時間内の間（例えば、３０分或いは６０分の間）に急上昇して、時間の経過に伴って何れは店舗２内温度が高くなるであろう場合に、集中管理コントローラ２０は、店舗２内の温度が上昇する以前に、除湿空調システム１を基準値１で運転する。また、晩秋や初冬などに外気温度が所定時間内の間（例えば、３０分或いは６０分の間）に急低下して、時間の経過に伴って何れは店舗２内温度が低くなるであろう場合に、集中管理コントローラ２０は、店舗２内の温度が低くなる以前に、除湿空調システム１を基準値２で運転する。
【００５４】
この場合の除湿空調システム１の運転基準値の変更は、予め実際に変化した過去のデータ（外気温が何時から何時頃の間に、何度から何度まで何分以内で変化したのかなどのデータ）を複数取り、集中管理コントローラ２０のモリに記憶しておく。そして、集中管理コントローラ２０は、メモリに記憶されたデータと外気温の変化とを比較することにより、除湿空調システム１の運転基準値を変更する。
【００５５】
これにより、外気温度が急に変化した場合にも、集中管理コントローラ２０は店舗２内の温度が変化する以前に、外気温度センサー４３検出した外気温度に基づいて、除湿装置６の運転基準値を変更することができるので、来店した顧客に不快感を与えてしまうなどの不都合を未然に防止することができる。従って、外気温度が急激に変化した場合にも常に快適な除湿空調を自動的に実現できるようになる。
【００５６】
尚、実施例では、除湿装置６をデシカント空調機で説明したが、除湿装置６はデシカント空調機に限られず、フロンガス、或いは、ノンフロンガス（二酸化炭素ガス、或いは、窒素ガス等）を冷媒として用いた冷媒サイクルの空調機にも本発明は有効である。
【００５７】
また、本発明は上記各実施例のみに限定されるものではなく、この発明の趣旨を逸脱しない範囲で他の様々な変更を行っても本発明は有効である。
【図面の簡単な説明】
【００５８】
【図１】本発明の一実施例を示す除湿空調システムの構成図である（実施例１）。
【図２】本発明の除湿空調システムを構成する除湿装置の内部構成図である。
【図３】温度と相対湿度から、相対湿度１００％の時の絶対湿度の近似曲線を示す図である。
【図４】本発明の他の除霜制御装置の動作を示すフローチャートである。
【符号の説明】
【００５９】
１  除湿空調システム
２  店舗
３  ショーケース
４  庫内
６  除湿装置
１０  供給空気ダクト
１１  戻り空気ダクト
２０  集中管理コントローラ
２４  端末コントローラ
３８  室内温度センサー
３９  室内湿度センサー
【図１】
2007263425.tif 000003
【図２】
2007263425.tif 000004
【図３】
2007263425.tif 000005
【図４】
2007263425.tif 000006